(57)【要約】【課題】  容量および足元空間を確保し得るようにする。【解決手段】  上面が開口し、手前面がリッド部５とされた略箱状のグローブボックス本体６を有する箱型のグローブボックス構造であって、グローブボックス本体６の外周下部に、上面および手前面が開口した略箱状のロアトレイ９を重ねて装着し、ロアトレイ９を昇降可能に構成するようにしている。【選択図】        図１
2005119356.tif 000002
【特許請求の範囲】
【請求項１】
上面が開口し、手前面がリッド部とされた略箱状のグローブボックス本体を有する箱型のグローブボックス構造であって、前記グローブボックス本体の外周下部に、上面および手前面が開口した略箱状のロアトレイを重ねて装着し、該ロアトレイを昇降可能に構成したことを特徴とするグローブボックス構造。
【請求項２】
前記グローブボックス本体を、インストルメントパネルに形成したボックス本体取付部に対し、回転中心軸を中心に上下回動して開閉可能に取付け、前記回転中心軸をグローブボックス本体の前後方向中央下部の位置に設定し、前記ロアトレイの側部に、回転中心軸を通すと共に略上下方向へ延びる昇降ガイド孔を形成し、該昇降ガイド孔に沿ってロアトレイを昇降可能に構成したことを特徴とする請求項１記載のグローブボックス構造。
【発明の詳細な説明】
【技術分野】
【０００１】
この発明は、グローブボックス構造に関するものである。
【背景技術】
【０００２】
自動車などの車両には、車室内の前部にインストルメントパネルが設けられている。そして、このインストルメントパネルの助手席側の足元部分には、通常、グローブボックスが設けられている。
【０００３】
従来のグローブボックスは、バケット型のグローブボックス本体を、その下部に設けられた回転中心軸を中心に傾動させて開閉するよう構成されたバケット型のものが一般的である（例えば、特許文献１参照）。
【特許文献１】特開平０６−１８３２９９号公報
【発明の開示】
【発明が解決しようとする課題】
【０００４】
しかしながら、上記バケット型のグローブボックスには、形状がいびつで容量が小さいと共に足元空間を確保し難いという問題があった。
【課題を解決するための手段】
【０００５】
上記課題を解決するために、請求項１に記載された発明では、上面が開口し、手前面がリッド部とされた略箱状のグローブボックス本体を有する箱型のグローブボックス構造であって、前記グローブボックス本体の外周下部に、上面および手前面が開口した略箱状のロアトレイを重ねて装着し、該ロアトレイを昇降可能に構成したグローブボックス構造を特徴としている。
【０００６】
請求項２に記載された発明では、前記グローブボックス本体を、インストルメントパネルに形成したボックス本体取付部に対し、回転中心軸を中心に上下回動して開閉可能に取付け、前記回転中心軸をグローブボックス本体の前後方向中央下部の位置に設定し、前記ロアトレイの側部に、回転中心軸を通すと共に略上下方向へ延びる昇降ガイド孔を形成し、該昇降ガイド孔に沿ってロアトレイを昇降可能に構成した請求項１記載のグローブボックス構造を特徴としている。
【発明の効果】
【０００７】
請求項１の発明によれば、グローブボックス本体を略箱状としたことにより、バケット型に比べて大きな容量と広い足元空間とを確保することができる。また、グローブボックス本体の外周下部に設けたロアトレイを下降させることにより、広いサブ収納空間を得ることができる。
【０００８】
請求項２の発明によれば、前後方向中央下部の位置に設定された回転中心軸を中心にグローブボックス本体を傾動させて開閉するようにしたことにより、開閉に要する軌跡を小さくすることができるので、出し入れのし易さと足元空間の確保とを両立させることができる。また、回転中心軸に対し昇降ガイド孔をスライドさせてロアトレイを昇降させるようにしたことにより、特別なガイド機構を不要化することができる。
【発明を実施するための最良の形態】
【０００９】
容量および足元空間を確保するという目的を、上面が開口し、手前面がリッド部とされた略箱状のグローブボックス本体を有する箱型のグローブボックス構造であって、グローブボックス本体の外周下部に、上面および手前面が開口した略箱状のロアトレイを重ねて装着し、ロアトレイを昇降可能に構成する、という手段で実現した。
【実施例】
【００１０】
以下、本発明を具体化した実施例について、図示例と共に説明する。
【００１１】
図１〜図８は、この発明の実施例を示すものである。
【００１２】
まず、構成を説明すると、図１に示すように、自動車などの車両には、車室内の前部にインストルメントパネル１が設けられている。このインストルメントパネル１の助手席側の足元部分にはグローブボックス２が設けられている。なお、図中、符号３はフロントウインドウガラスである。
【００１３】
この実施例のものでは、グローブボックス２を、図２に示すように、上面が開口し、手前面がリッド部５とされた略箱状のグローブボックス本体６を有する箱型のものとする。
【００１４】
そして、グローブボックス本体６の外周下部に、上面および手前面が開口した略箱状のロアトレイ９を重ねて装着し、このロアトレイ９を昇降可能に構成する。
【００１５】
より具体的には、グローブボックス本体６を、インストルメントパネル１に形成したボックス本体取付部１１に対し、回転中心軸１３を中心に上下回動して開閉可能に取付ける。そして、回転中心軸１３をグローブボックス本体６の（車両）前後方向中央下部の位置に設定する。回転中心軸１３は、グローブボックス本体６の両側部から突設されると共に、略車幅方向へ水平に延設されている。回転中心軸１３は、ボックス本体取付部１１の両側部に設けられた図示しない軸受部に支持される。
【００１６】
更に、ロアトレイ９の両側部に、回転中心軸１３を通すと共に略上下方向へ延びる昇降ガイド孔１５を形成し、昇降ガイド孔１５に沿ってロアトレイ９を昇降可能に構成する。
【００１７】
加えて、ロアトレイ９の昇降ガイド孔１５上部近傍で且つ、昇降ガイド孔１５の両側部（昇降ガイド孔１５を前後に挟んだ位置）に、一対の係止孔１６を形成する。そして、グローブボックス本体６の係止孔１６と対応する位置に、ロアトレイ９を上昇状態にて係止固定する係止爪１７を形成する。そして、この係止爪１７に弾性を付与するために係止爪１７の周囲に下向きコ字状の切欠１８を形成する。
【００１８】
そして、ボックス本体取付部１１の両側下部に、ロアトレイ９の下降位置を規制するストッパ１９を設けると共に、ロアトレイ９下部のストッパ１９と対応する位置に、凹状の受け部２０を形成する。
【００１９】
次に、この実施例の作用について説明する。
【００２０】
グローブボックス２を使用しない場合には、図１、図２に示すように、グローブボックス本体６を閉止状態にすると共に、ロアトレイ９を上昇状態にして、係止孔１６を係止爪１７に係止させておく。この状態では、物の出し入れはできない。
【００２１】
サブ収納空間を使用する場合には、図３、図４に示すように、グローブボックス本体６を閉止状態にすると共に、係止爪１７と係止孔１６との係止状態を解除し、回転中心軸１３に対し昇降ガイド孔１５をスライドさせることにより、ロアトレイ９を下降させ、受け部２０をストッパ１９へ着座させて安定させるようにする。この状態では、グローブボックス本体６下面とロアトレイ９との間がサブ収納空間となり、サブ収納空間のみに対して物の出し入れを行うことができる。
【００２２】
ロアトレイ９上昇状態でグローブボックス２を使用する場合には、図５、図６に示すように、回転中心軸１３を中心としてグローブボックス本体６の前部を下方傾動させる。すると、グローブボックス本体６と共に、ロアトレイ９も回動される。この状態では、グローブボックス本体６のみに対して物の出し入れを行うことができる。
【００２３】
ロアトレイ９下降状態でグローブボックス２を使用する場合には、図７、図８に示すように、回転中心軸１３を中心としてグローブボックス本体６の前部を下方傾動させる。すると、グローブボックス本体６の前部がロアトレイ９の内部へ一部入り込む。この状態では、ロアトレイ９の手前面が塞がるので、グローブボックス本体６のみに対して物の出し入れを行うことができる。
【００２４】
この実施例によれば、グローブボックス本体６を略箱状としたことにより、バケット型に比べて大きな容量と広い足元空間とを確保することができる。
【００２５】
また、グローブボックス本体６の外周下部に設けたロアトレイ９を下降させることにより、広いサブ収納空間を得ることができる。
【００２６】
そして、前後方向中央下部の位置に設定された回転中心軸１３を中心にグローブボックス本体６を傾動させて開閉するようにしたことにより、開閉に要する軌跡を小さくすることができるので、出し入れのし易さと足元空間の確保とを両立させることができる。
【００２７】
また、回転中心軸１３に対し昇降ガイド孔１５をスライドさせてロアトレイ９を昇降させるようにしたことにより、特別なガイド機構を不要化することができる。
【図面の簡単な説明】
【００２８】
【図１】本発明の実施例の側方断面図である。
【図２】図１のグローブボックス本体とロアトレイとの状態を示す斜視図である。
【図３】ロアトレイを下降させた図１と同様の側方断面図である。
【図４】図３のグローブボックス本体とロアトレイとの状態を示す斜視図である。
【図５】ロアトレイと共にグローブボックス本体を開いた図１と同様の側方断面図である。
【図６】図５のグローブボックス本体とロアトレイとの状態を示す斜視図である。
【図７】ロアトレイを下降させた状態でグローブボックス本体を開いた図１と同様の側方断面図である。
【図８】図７のグローブボックス本体とロアトレイとの状態を示す斜視図である。
【符号の説明】
【００２９】
１    インストルメントパネル
２    グローブボックス
５    リッド部
６    グローブボックス本体
９    ロアトレイ
１１  ボックス本体取付部
１３  回転中心軸
１５  昇降ガイド孔
【図１】
2005119356.tif 000003
【図２】
2005119356.tif 000004
【図３】
2005119356.tif 000005
【図４】
2005119356.tif 000006
【図５】
2005119356.tif 000007
【図６】
2005119356.tif 000008
【図７】
2005119356.tif 000009
【図８】
2005119356.tif 000010